(57)【要約】【課題】互いに反対方向に位置する各被写体を撮像する撮像装置において、自然な状態の被写体の映像信号を得ることを目的とする。【解決手段】撮像部１１と、撮像部１１の撮像方向を正面方向、その正面方向と反対方向を背面方向と定義するとき、その背面方向を撮像する撮像部１２と、相関判定用の映像信号を記憶する記憶部１３と、撮像部１１からの映像信号と、記憶部１３に記憶される相関判定用の映像信号との間で相関があるか否かを判定する映像判定部１６と、映像判定部１６により、撮像部１１からの映像信号と、記憶部１３に記憶される相関判定用の映像信号との間で相関があると判定された場合、撮像部１１からの映像信号又は撮像部１２からの映像信号を記憶部１３に記憶させる操作制御部１７とを備えて撮像装置１０を構成する。【選択図】図１
2013121062.tif 000002
【特許請求の範囲】
【請求項１】
第１撮像手段と、
前記第１撮像手段の撮像方向を正面方向、前記正面方向と反対方向を背面方向と定義するとき、前記背面方向を撮像する第２撮像手段と、
相関判定用の映像信号を記憶する記憶手段と、
前記第１撮像手段からの映像信号と、前記記憶手段により記憶される相関判定用の映像信号との間で相関があるか否かを判定する映像判定手段と、
前記映像判定手段により、前記第１撮像手段からの映像信号の少なくとも一部と、前記記憶手段により記憶される相関判定用の映像信号との間で相関があると判定された場合、前記第１撮像手段からの映像信号又は前記第２撮像手段からの映像信号を前記記憶手段に記憶させる操作制御手段と、
を備える撮像装置。
【請求項２】
請求項１に記載の撮像装置であって、
前記操作制御手段は、前記映像判定手段により、前記第１撮像手段からの映像信号の少なくとも一部と、前記記憶手段により記憶される相関判定用の映像信号との間で相関があると判定された場合、前記第１撮像手段からの映像信号及び前記第２撮像手段からの映像信号を前記記憶手段に記憶させる
ことを特徴とする撮像装置。
【請求項３】
請求項２に記載の撮像装置であって、
前記操作制御手段は、前記映像判定手段により、前記第１撮像手段からの映像信号の少なくとも一部と、前記記憶手段により記憶される相関判定用の映像信号との間で相関があると判定された場合、前記第１撮像手段からの映像信号及び前記第２撮像手段からの映像信号の何れか一方を前記記憶手段に記憶させてから一定時間経過後、他方を前記記憶手段に記憶させる
ことを特徴とする撮像装置。
【請求項４】
請求項１又は請求項２に記載の撮像装置であって、
前記映像判定手段は、前記第２撮像手段からの映像信号の少なくとも一部と、前記記憶手段により記憶される相関判定用の映像信号との間で相関があるか否かを判定し、
前記操作制御手段は、前記第２撮像手段からの映像信号の少なくとも一部と、前記記憶手段により記憶される相関判定用の映像信号との間で相関があると判定された場合、前記第１撮像手段からの映像信号又は前記第２撮像手段からの映像信号を前記記憶手段に記憶させる
ことを特徴とする撮像装置。
【請求項５】
請求項４に記載の撮像装置であって、
前記操作制御手段は、前記映像判定手段により、前記第１撮像手段からの映像信号の少なくとも一部と、前記記憶手段により記憶される相関判定用の映像信号との間で相関があると判定され、かつ、前記第２撮像手段からの映像信号の少なくとも一部と、前記記憶手段により記憶される相関判定用の映像信号との間で相関があると判定された場合、前記第１撮像手段からの映像信号又は前記第２撮像手段からの映像信号を前記記憶手段に記憶させる
ことを特徴とする撮像装置。
【請求項６】
請求項５に記載の撮像装置であって、
前記操作制御手段は、前記映像判定手段により、前記第１撮像手段からの映像信号の少なくとも一部と、前記記憶手段により記憶される相関判定用の映像信号との間の相関、及び、前記第２撮像手段からの映像信号の少なくとも一部と、前記記憶手段により記憶される相関判定用の映像信号との間の相関の何れか一方の相関があると判定されてから一定時間経過するまでに、他方の相関があると判定された場合、前記第１撮像手段からの映像信号又は前記第２撮像手段からの映像信号を前記記憶手段に記憶させる
ことを特徴とする撮像装置。
【請求項７】
請求項５に記載の撮像装置であって、
前記操作制御手段は、前記映像判定手段により、前記第１撮像手段からの映像信号の少なくとも一部と、前記記憶手段により記憶される相関判定用の映像信号との間の相関、及び、前記第２撮像手段からの映像信号の少なくとも一部と、前記記憶手段により記憶される相関判定用の映像信号との間の相関の何れか一方の相関があると判定されている間に、他方の相関があると判定された場合、前記第１撮像手段からの映像信号又は前記第２撮像手段からの映像信号を前記記憶手段に記憶させる
ことを特徴とする撮像装置。
【請求項８】
請求項１、２、及び４の何れか１項に記載の撮像装置であって、
前記操作制御手段は、前記映像判定手段により、前記第１撮像手段からの映像信号の少なくとも一部と、前記記憶手段により記憶される相関判定用の映像信号との間で相関があると判定された場合、該相関判定用の映像信号に対応するエフェクトが施された、前記第１撮像手段からの映像信号又は前記第２撮像手段からの映像信号を前記記憶手段に記憶させる
ことを特徴とする撮像装置。
【請求項９】
請求項１、２、４、及び８の何れか１項に記載の撮像装置であって、
表示方向が前記正面方向となるように位置され、前記第１撮像手段からの映像信号を表示する第１表示手段をさらに備えることを特徴とする撮像装置。
【請求項１０】
請求項９に記載の撮像装置であって、
前記操作制御手段は、前記映像判定手段により、前記第１撮像手段からの映像信号の少なくとも一部が、前記記憶手段により記憶される相関判定用の映像信号に類似していると判定されると、その旨を前記第１表示手段に表示させる
ことを特徴とする撮像装置。
【請求項１１】
請求項９又は請求項１０に記載の撮像装置であって、
前記操作制御手段は、前記第１撮像手段からの映像信号に、前記相関判定用の映像信号を重畳させて前記第１表示手段に表示させる
ことを特徴とする撮像装置。
【請求項１２】
請求項９〜１１の何れか１項に記載の撮像装置であって、
前記操作制御手段は、前記映像判定手段により、前記第１撮像手段からの映像信号の少なくとも一部と、前記記憶手段により記憶される相関判定用の映像信号との間の相関があると判定された場合、その旨を前記第１表示手段に表示させる
ことを特徴とする撮像装置。
【請求項１３】
請求項９〜１２の何れか１項に記載の撮像装置であって、
前記操作制御手段は、前記第１撮像手段からの映像信号と、前記第２撮像手段からの映像信号とを互いに合成させて前記第１表示手段に表示させる
ことを特徴とする撮像装置。
【請求項１４】
請求項９〜１３の何れか１項に記載の撮像装置であって、
表示方向が前記背面方向となるように配置され、前記第１撮像手段からの映像信号を表示する第２表示手段をさらに備えることを特徴とする撮像装置。
【請求項１５】
請求項１４に記載の撮像装置であって、
前記操作制御手段は、前記映像判定手段により、前記第１撮像手段からの映像信号の少なくとも一部が、前記記憶手段により記憶される相関判定用の映像信号に類似していると判定されると、その旨を前記第２表示手段に表示させる
ことを特徴とする撮像装置。
【請求項１６】
請求項１４又は請求項１５に記載の撮像装置であって、
前記操作制御手段は、前記第１撮像手段からの映像信号に、前記相関判定用の映像信号を重畳させて前記第２表示手段に表示させる
ことを特徴とする撮像装置。
【請求項１７】
請求項１４〜１６の何れか１項に記載の撮像装置であって、
前記操作制御手段は、前記映像判定手段により、前記第１撮像手段からの映像信号の少なくとも一部と、前記記憶手段により記憶される相関判定用の映像信号との間の相関があると判定された場合、その旨を前記第２表示手段に表示させる
ことを特徴とする撮像装置。
【請求項１８】
請求項１４〜１７の何れか１項に記載の撮像装置であって、
前記操作制御手段は、前記第１撮像手段からの映像信号と、前記第２撮像手段からの映像信号とを互いに合成させて前記第２表示手段に表示させる
ことを特徴とする撮像装置。
【請求項１９】
請求項９〜１３の何れか１項に記載の撮像装置であって、
表示方向が前記背面方向となるように配置され、前記第２撮像手段からの映像信号を表示する第２表示手段をさらに備えることを特徴とする撮像装置。
【請求項２０】
請求項１９に記載の撮像装置であって、
前記操作制御手段は、前記映像判定手段により、前記第１撮像手段からの映像信号の少なくとも一部が、前記記憶手段により記憶される相関判定用の映像信号に類似していると判定されると、その旨を前記第２表示手段に表示させる
ことを特徴とする撮像装置。
【請求項２１】
請求項１９又は請求項２０に記載の撮像装置であって、
前記操作制御手段は、前記第２撮像手段からの映像信号に、前記相関判定用の映像信号を重畳させて前記第２表示手段に表示させる
ことを特徴とする撮像装置。
【請求項２２】
請求項１９〜２１の何れか１項に記載の撮像装置であって、
前記操作制御手段は、前記映像判定手段により、前記第１撮像手段からの映像信号の少なくとも一部と、前記記憶手段により記憶される相関判定用の映像信号との間の相関があると判定された場合、その旨を前記第２表示手段に表示させる
ことを特徴とする撮像装置。
【請求項２３】
請求項１に記載の撮像装置であって、
前記操作制御手段は、前記第１撮像手段又は前記第２撮像手段からの映像信号の少なくとも一部を、前記相関判定用の映像信号として前記記憶手段に記憶させる
ことを特徴とする撮像装置。
【発明の詳細な説明】
【技術分野】
【０００１】
本発明は、互いに反対方向に位置する各被写体を撮像する撮像装置に関する。
【背景技術】
【０００２】
互いに反対方向に位置する各被写体を撮像することが可能な撮像装置として、例えば、２つの撮像部を備えるデジタルカメラや携帯電話などが存在する（例えば、特許文献１参照）。
【０００３】
このような撮像装置では、どちらかの被写体の撮影の指示により２つの撮像部において同時に撮像を行うことができる。
【先行技術文献】
【特許文献】
【０００４】
【特許文献１】特開２００４−１４７０４６号公報
【発明の概要】
【発明が解決しようとする課題】
【０００５】
しかしながら、上述のように、互いに反対方向に位置する各被写体を撮像することが可能な撮像装置では、撮影の指示を出す方の被写体のしぐさなどで、撮影の指示を出さない方の被写体も撮影を意識してしまい、自然な状態の被写体の映像信号を得ることが難しいという問題がある。また、通常、撮影の指示を出す方の被写体は撮像装置を持って操作するため、撮影の指示を出す方の被写体と撮像装置との間の距離が短くなり、撮影の指示を出す方の被写体を撮像する撮像部の画角が狭くなってしまう。そのため、撮影の指示を出す方の被写体の撮影ポーズに制限がかかり、自然な状態の被写体の映像信号を得ることが難しいという問題もある。
【０００６】
そこで、本発明では、互いに反対方向に位置する各被写体を撮像する撮像装置において、自然な状態の被写体の映像信号を得ることを目的とする。
【課題を解決するための手段】
【０００７】
本発明の撮像装置は、第１撮像手段と、前記第１撮像手段の撮像方向を正面方向、前記正面方向と反対方向を背面方向と定義するとき、前記背面方向を撮像する第２撮像手段と、相関判定用の映像信号を記憶する記憶手段と、前記第１撮像手段からの映像信号と、前記記憶手段により記憶される相関判定用の映像信号との間で相関があるか否かを判定する映像判定手段と、前記映像判定手段により、前記第１撮像手段からの映像信号と、前記記憶手段により記憶される相関判定用の映像信号との間で相関があると判定された場合、前記第１撮像手段からの映像信号又は前記第２撮像手段からの映像信号を前記記憶手段に記憶させる操作制御手段とを備える。
【発明の効果】
【０００８】
本発明によれば、互いに反対方向に位置する各被写体を撮像する撮像装置において、自然な状態の被写体の映像信号を得ることができる。
【図面の簡単な説明】
【０００９】
【図１】本発明の第１実施形態の撮像装置を示す図である。
【図２Ａ】第１実施形態の撮像装置の一例の正面図である。
【図２Ｂ】第１実施形態の撮像装置の一例の側面図である。
【図３】第１実施形態の撮像装置の使用例を示す図である。
【図４】制御部の動作の一例を示すフローチャートである。
【図５】映像信号を記憶部に記憶させる際の制御部の一例を示すフローチャートである。
【図６】制御部の動作の変形例を示すフローチャートである。
【図７】映像信号を記憶部に記憶させる際の制御部の一例を示すフローチャートである。
【図８】本発明の第２実施形態の撮像装置を示す図である。
【図９Ａ】第２実施形態の撮像装置の一例の正面図である。
【図９Ｂ】第２実施形態の撮像装置の一例の背面図である。
【図９Ｃ】第２実施形態の撮像装置の一例の側面図である。
【図９Ｄ】第２実施形態の撮像装置の一例の上面図である。
【図１０Ａ】Ａ面側の表示部に表示される画面の一例（その１）を示す図である。
【図１０Ｂ】Ａ面側の表示部に表示される画面の一例（その２）を示す図である。
【図１０Ｃ】Ａ面側の表示部に表示される画面の一例（その３）を示す図である。
【図１０Ｄ】Ａ面側の表示部に表示される画面の一例（その４）を示す図である。
【図１１Ａ】Ｂ面側の表示部に表示される画面の一例（その１）を示す図である。
【図１１Ｂ】Ｂ面側の表示部に表示される画面の一例（その２）を示す図である。
【図１１Ｃ】Ｂ面側の表示部に表示される画面の一例（その３）を示す図である。
【図１１Ｄ】Ｂ面側の表示部に表示される画面の一例（その４）を示す図である。
【図１２】制御部の動作の一例を示すフローチャートである。
【図１３Ａ】表示部に表示される画面の一例（その１）を示す図である。
【図１３Ｂ】表示部に表示される画面の一例（その２）を示す図である。
【図１３Ｃ】表示部に表示される画面の一例（その３）を示す図である。
【図１４】本発明の第３実施形態の撮像装置を示す図である。
【図１５Ａ】第３実施形態の撮像装置の一例の正面図である。
【図１５Ｂ】第３実施形態の撮像装置の一例の背面図である。
【図１５Ｃ】第３実施形態の撮像装置の一例の側面図である。
【図１５Ｄ】第３実施形態の撮像装置の一例の上面図である。
【図１６Ａ】Ａ面側の表示部及びＢ面側の表示部にそれぞれ表示される画面の一例（その１）を示す図である。
【図１６Ｂ】Ａ面側の表示部及びＢ面側の表示部にそれぞれ表示される画面の一例（その２）を示す図である。
【図１６Ｃ】Ａ面側の表示部及びＢ面側の表示部にそれぞれ表示される画面の一例（その３）を示す図である。
【図１６Ｄ】Ａ面側の表示部及びＢ面側の表示部にそれぞれ表示される画面の一例（その４）を示す図である。
【図１７Ａ】Ａ面側の表示部及びＢ面側の表示部にそれぞれ表示される画面の一例（その５）を示す図である。
【図１７Ｂ】Ａ面側の表示部及びＢ面側の表示部にそれぞれ表示される画面の一例（その６）を示す図である。
【図１７Ｃ】Ａ面側の表示部及びＢ面側の表示部にそれぞれ表示される画面の一例（その７）を示す図である。
【図１７Ｄ】Ａ面側の表示部及びＢ面側の表示部にそれぞれ表示される画面の一例（その８）を示す図である。
【図１８】本発明の第４実施形態の撮像装置を示す図である。
【図１９】制御部の動作の一例を示すフローチャートである。
【図２０Ａ】相関判定用の映像信号の登録時に表示部に表示される画面の一例（その１）を示す図である。
【図２０Ｂ】相関判定用の映像信号の登録時に表示部に表示される画面の一例（その２）を示す図である。
【図２０Ｃ】相関判定用の映像信号の登録時に表示部に表示される画面の一例（その３）を示す図である。
【図２１Ａ】映像エフェクトの設定時に表示部に表示される画面の一例（その１）を示す図である。
【図２１Ｂ】映像エフェクトの設定時に表示部に表示される画面の一例（その２）を示す図である。
【図２１Ｃ】映像エフェクトの設定時に表示部に表示される画面の一例（その３）を示す図である。
【図２２】本発明の第５実施形態の撮像装置を示す図である。
【発明を実施するための形態】
【００１０】
＜第１実施形態＞
【００１１】
図１は、本発明の第１実施形態の撮像装置を示す図である。
【００１２】
図１に示す撮像装置１０は、例えば、デジタルカメラ、カメラ付き携帯電話、スマートフォン、又はタブレットＰＣなどであって、撮像部１１、１２と、記憶部１３と、制御部１４とを備える。なお、図２Ａ及び図２Ｂに示すように、撮像装置１０のＡ面側に備えられる撮像部１１の撮像方向を正面方向とする。また、撮像装置１０のＢ面側に備えられる撮像部１２の撮像方向を、正面方向と反対方向である背面方向とする。また、例えば、図３に示すように、撮像装置１０が卓上に置かれ、被写体Ａが撮像部１１の撮像方向（正面方向）に位置し、被写体Ｂが撮像部１２の撮像方向（背面方向）に位置しているものとする。
【００１３】
制御部１４は、映像処理部１５と、映像判定部１６と、操作制御部１７とを備える。なお、制御部１４は、例えば、ＤＳＰ（Digital Signal Processor）が記憶部１３に記憶されるアプリケーションソフトを実行することにより実現されてもよいし、ＦＰＧＡ（Field Programmable Gate Array）やＡＳＩＣ（Application Specific Integrated Circuit）などを利用して実現されてもよい。
【００１４】
撮像部１１は、正面方向に被写体Ａが位置している場合、その被写体Ａを撮像する。また、撮像部１１は、例えば、レンズによってＣＣＤ（Charge Coupled Device）などの撮像素子に結像される被写体像をその撮像素子において電気信号に変換し映像信号（静止画や動画）とする。
【００１５】
撮像部１２は、背面方向に被写体Ｂが位置している場合、その被写体Ｂを撮像する。撮像部１２は、例えば、レンズによってＣＣＤなどの撮像素子に結像される被写体像をその撮像素子において電気信号に変換し映像信号（静止画や動画）とする。
【００１６】
記憶部１３は、オペレーティングシステムのプログラム、各種アプリケーションソフト、後述の撮像部１１や撮像部１２からの画像処理後の映像信号や相関判定用の映像信号などを記憶する。なお、記憶部１３は、例えば、ＲＯＭ（Read Only Memory）、ＲＡＭ（Random Access Memory）、不揮発性メモリ、又はフラッシュメモリなどにより構成され、ハードディスクなど撮像装置１０に内蔵される記憶媒体であってもよいし、ＣＤ（Compact Disc）、ＤＶＤ（Digital Versatile Disc）、メモリカード、又はＵＳＢメモリなど撮像装置１０に着脱可能な記憶媒体であってもよい。
【００１７】
映像処理部１５は、撮像部１１、１２からそれぞれ出力される映像信号に対してシャープネス補正回路、コントラスト補正回路、輝度・色差信号生成回路、及びホワイトバランス補正回路などを用いて各種画像処理を行う。
【００１８】
映像判定部１６は、撮像部１１から出力される画像処理後の映像信号の少なくとも一部と、記憶部１３に予め記憶されている相関判定用の映像信号との間で相関があるか否かを判定する。例えば、映像判定部１６は、撮像部１１から出力される画像処理後の映像信号の少なくとも一部（例えば、静止画のある範囲の画素毎の輝度）と、記憶部１３に予め記憶されている相関判定用の映像信号（例えば、静止画の画素毎の輝度）との類似度が閾値ｔｈ１以上である場合、撮像部１１から出力される画像処理後の映像信号の少なくとも一部と、記憶部１３に予め記憶されている相関判定用の映像信号との間で相関があると判定する。
【００１９】
操作制御部１７は、映像判定部１６の相関判定結果に応じて、撮像部１１や撮像部１２から出力される画像処理後の映像信号を記憶部１３に記憶させる。
【００２０】
図４は、制御部１４の動作の一例を示すフローチャートである。
【００２１】
まず、制御部１４の映像処理部１５は、被写体Ａや被写体Ｂなどの操作により撮像装置１０に備えられる不図示の電源スイッチがＯＮすると（Ｓ４１がＹｅｓ）、撮像部１１、１２からそれぞれ出力される各映像信号に対して各種画像処理を行う（Ｓ４２）。
【００２２】
次に、制御部１４の映像判定部１６において、撮像部１１から出力される画像処理後の映像信号の少なくとも一部と、記憶部１３に予め記憶されている相関判定用の映像信号との間で相関がないと判定された場合（Ｓ４３がＮｏ）、再度、映像処理部１５により撮像部１１、１２から出力される各映像信号に対して各種画像処理が行われ（Ｓ４２）、映像判定部１６により撮像部１１から出力される画像処理後の映像信号の少なくとも一部と、記憶部１３に予め記憶されている相関判定用の映像信号との間で相関があるか否かの判定が行われる（Ｓ４３）。
【００２３】
一方、映像判定部１６において、撮像部１１から出力される画像処理後の映像信号の少なくとも一部と、記憶部１３に予め記憶されている相関判定用の映像信号との間で相関があると判定された場合（Ｓ４３がＹｅｓ）、制御部１４の操作制御部１７は、撮像部１１や撮像部１２から出力される画像処理後の映像信号を記憶部１３に記憶させる（Ｓ４４）。例えば、相関判定用の映像信号としてピースサインの手の映像信号が予め記憶部１３に記憶されている場合、撮像部１１により被写体Ａのピースサインの手が撮像され、映像判定部１６により相関があると判定されると、撮像部１１や撮像部１２から出力される画像処理後の映像信号が記憶部１３に記憶される。
【００２４】
なお、映像判定部１６において、撮像部１２から出力される画像処理後の映像信号の少なくとも一部と、記憶部１３に予め記憶されている相関判定用の映像信号との間で相関があると判定された場合、操作制御部１７は、撮像部１１や撮像部１２から出力される画像処理後の映像信号を記憶部１３に記憶させるように構成してもよい。例えば、相関判定用の映像信号としてピースサインの手の映像信号が予め記憶部１３に記憶されている場合、撮像部１２により被写体Ｂのピースサインの手が撮像され、映像判定部１６により相関があると判定されると、撮像部１１や撮像部１２から出力される画像処理後の映像信号が記憶部１３に記憶される。
【００２５】
また、映像処理部１５の画像処理時に映像信号に対して施される映像エフェクト（例えば、白黒、セピア、ナチュラル、ポップ、ジオラマ、トイフォトなど）を示す情報と、相関判定用の映像信号（例えば、ピースサインの手や星のマークなど）とを対応付けて記憶部１３に記憶させておき、映像判定部１６において、撮像部１２から出力される画像処理後の映像信号の少なくとも一部と、記憶部１３に予め記憶されている相関判定用の映像信号との間で相関があると判定された場合、操作制御部１７は、そのときに使用された相関判定用の映像信号に対応する映像エフェクトを示す情報を記憶部１３から取り出し、その取り出した情報を映像処理部１５に送るように構成してもよい。映像処理部１５は、操作制御部１７から送られてくる情報に示される映像エフェクトを、撮像部１１や撮像部１２から出力される映像信号に対して施す。そして、操作制御部１７は、映像処理部１５により映像エフェクトが施された映像信号を記憶部１３に記憶させる。
【００２６】
このように、第１実施形態の撮像装置１０では、撮像部１１又は撮像部１２から出力される画像処理後の映像信号の少なくとも一部と、記憶部１３に予め記憶されている相関判定用の映像信号との間で相関があると判定されると、撮像部１１や撮像部１２から出力される画像処理後の映像信号が記憶部１３に記憶される構成であるため、相関判定用の映像信号がどのようなものであるか被写体Ａや被写体Ｂに知られていない場合、被写体Ａや被写体Ｂに撮影タイミングを気付かれ難くすることができる。そのため、自然な状態の被写体の映像信号を得ることができる。
【００２７】
また、第１実施形態の撮像装置１０では、撮像部１１又は撮像部１２から出力される画像処理後の映像信号と、記憶部１３に予め記憶されている相関判定用の映像信号との間で相関があると判定されると、撮像部１１や撮像部１２から出力される画像処理後の映像信号が記憶部１３に記憶される構成であるため、被写体Ａや被写体Ｂは撮像装置１０を持って操作する必要がない。そのため、撮像装置１０を被写体Ａや被写体Ｂから離すことができるので、撮像部１１や撮像部１２の画角を広くすることができ、被写体Ａや被写体Ｂの撮影ポーズに制限がかかるのを抑えることができる。これにより、自然な状態の被写体の映像信号を得ることができる。
【００２８】
また、上記第１実施形態の撮像装置１０において、撮像部１１や撮像部１２から出力される画像処理後の映像信号を記憶部１３に記憶させる際（例えば、図４に示すＳ４４）の撮影タイミングとして、様々な撮影タイミングが考えられる。
【００２９】
図５は、撮像部１１や撮像部１２から出力される画像処理後の映像信号を記憶部１３に記憶させる際の制御部１４の動作の一例を示すフローチャートである。なお、撮像装置１０に備えられる不図示の操作部が被写体Ａや被写体Ｂなどにより操作され、撮影タイミングａ〜ｅのうちの何れかが予め設定されているものとする。
【００３０】
まず、操作制御部１７は、撮影タイミングａが設定されていると判断すると（Ｓ４４１がＹｅｓ）、映像判定部１６において撮像部１１又は撮像部１２から出力される画像処理後の映像信号の少なくとも一部と、記憶部１３に記憶されている相関判定用の映像信号との間で相関があると判定されてから一定時間ｔ１経過後に、撮像部１１、１２からそれぞれ出力される画像処理後の各映像信号を記憶部１３に記憶させる（Ｓ４４２）。これにより、相関判定用の映像信号がどのようなものであるか被写体Ａや被写体Ｂに知られていても、一定時間ｔ１がどのくらいの時間であるか被写体Ａや被写体Ｂに知られていない場合、被写体Ａや被写体Ｂに撮影タイミングを気付かれ難くすることができる。そのため、自然な状態の被写体の映像信号を得ることができる。また、相関判定用の映像信号がどのようなものであるか被写体Ａや被写体Ｂに知られている場合において、その相関判定用の映像信号に似た映像信号を含む、撮像部１１や撮像部１２からの映像信号を記憶部１３に記憶させたくない場合に有効である。
【００３１】
また、操作制御部１７は、撮影タイミングｂが設定されていると判断すると（Ｓ４４３がＹｅｓ）、映像判定部１６において撮像部１１又は撮像部１２から出力される画像処理後の映像信号の少なくとも一部と、記憶部１３に記憶されている相関判定用の映像信号との間で相関があると判定されてからすぐに、撮像部１１から出力される画像処理後の映像信号を記憶部１３に記憶させた後、一定時間ｔ１経過後に、撮像部１２から出力される画像処理後の映像信号を記憶部１３に記憶させる（Ｓ４４４）。これにより、相関判定用の映像信号がどのようなものであるか被写体Ｂに知られていても、一定時間ｔ１がどのくらいの時間であるか被写体Ｂに知られていない場合、被写体Ｂに撮影タイミングを気付かれ難くすることができる。そのため、自然な状態の被写体Ｂの映像信号を得ることができる。また、相関判定用の映像信号がどのようなものであるか被写体Ｂに知られている場合において、その相関判定用の映像信号に似た映像信号を含む、撮像部１２からの映像信号を記憶部１３に記憶させたくない場合に有効である。
【００３２】
また、操作制御部１７は、撮影タイミングｃが設定されていると判断すると（Ｓ４４５がＹｅｓ）、映像判定部１６において撮像部１１又は撮像部１２から出力される画像処理後の映像信号の少なくとも一部と、記憶部１３に記憶されている相関判定用の映像信号との間で相関があると判定されてからすぐに、撮像部１２から出力される画像処理後の映像信号を記憶部１３に記憶させた後、一定時間ｔ１経過後に、撮像部１１から出力される画像処理後の映像信号を記憶部１３に記憶させる（Ｓ４４６）。これにより、相関判定用の映像信号がどのようなものであるか被写体Ａに知られていても、一定時間ｔ１がどのくらいの時間であるか被写体Ａに知られていない場合、被写体Ａに撮影タイミングを気付かれ難くすることができる。そのため、自然な状態の被写体Ａの映像信号を得ることができる。また、相関判定用の映像信号がどのようなものであるか被写体Ａに知られている場合において、その相関判定用の映像信号に似た映像信号を含む、撮像部１１からの映像信号を記憶部１３に記憶させたくない場合に有効である。
【００３３】
また、操作制御部１７は、撮影タイミングｄが設定されていると判断すると（Ｓ４４７がＹｅｓ）、映像判定部１６において撮像部１１又は撮像部１２から出力される画像処理後の映像信号の少なくとも一部と、記憶部１３に記憶されている相関判定用の映像信号との間で相関があると判定されてからすぐに、撮像部１１から出力される画像処理後の映像信号のみを記憶部１３に記憶させる（Ｓ４４８）。
【００３４】
また、操作制御部１７は、撮影タイミングｅが設定されていると判断すると（Ｓ４４９がＹｅｓ）、映像判定部１６において撮像部１１又は撮像部１２から出力される画像処理後の映像信号の少なくとも一部と、記憶部１３に記憶されている相関判定用の映像信号との間で相関があると判定されてからすぐに、撮像部１２から出力される画像処理後の映像信号のみを記憶部１３に記憶させる（Ｓ４５０）。
【００３５】
また、操作制御部１７は、撮影タイミングａ〜ｅの何れも設定されていないと判断すると（Ｓ４４９がＮｏ）、映像判定部１６において撮像部１１又は撮像部１２から出力される画像処理後の映像信号の少なくとも一部と、記憶部１３に記憶されている相関判定用の映像信号との間で相関があると判定されてからすぐに、撮像部１１、１２からそれぞれ出力される画像処理後の各映像信号を記憶部１３に記憶させる（Ｓ４５１）。
【００３６】
図６は、制御部１４の動作の変形例を示すフローチャートである。
【００３７】
まず、映像処理部１５は、被写体Ａや被写体Ｂなどの操作により撮像装置１０に備えられる不図示の電源スイッチがＯＮすると（Ｓ６１がＹｅｓ）、撮像部１１、１２からそれぞれ出力される各映像信号に対して各種画像処理を行う（Ｓ６２）。
【００３８】
次に、映像判定部１６において、撮像部１１又は撮像部１２から出力される画像処理後の映像信号の少なくとも一部と、記憶部１３に予め記憶されている相関判定用の映像信号との間で相関があると判定されてから一定時間ｔ２経過までに、残りの撮像部から出力される画像処理後の映像信号の少なくとも一部と、記憶部１３に予め記憶されている相関判定用の映像信号との間で相関があると判定されると（Ｓ６３がＹｅｓ、Ｓ６４がＹｅｓ）、操作制御部１７は、撮像部１１、１２からそれぞれ出力される画像処理後の各映像信号を記憶部１３に記憶させる（Ｓ６５）。このとき、撮像部１１、１２からそれぞれ出力される画像処理後の映像信号は、例えば、図７に示す制御部１４の動作を示すフローチャートのように、被写体Ａや被写体Ｂなどの操作により撮影タイミングｆが予め設定されていると判断すると（Ｓ６５１がＹｅｓ）、映像判定部１６において撮像部１１及び撮像部１２からそれぞれ出力される画像処理後の映像信号の少なくとも一部と、記憶部１３に記憶されている相関判定用の映像信号との間で相関があると判定されてから一定時間ｔ１経過後に、撮像部１１、１２からそれぞれ出力される画像処理後の各映像信号を記憶部１３に記憶させる（Ｓ６５２）。一方、撮影タイミングｆが設定されていないと判断すると（Ｓ６５１がＮｏ）、映像判定部１６において撮像部１１及び撮像部１２からそれぞれ出力される画像処理後の映像信号の少なくとも一部と、記憶部１３に記憶されている相関判定用の映像信号との間で相関があると判定されてからすぐに、撮像部１１、１２からそれぞれ出力される画像処理後の各映像信号を記憶部１３に記憶させる（Ｓ６５３）。
【００３９】
また、図６に示すフローチャートにおいて、撮像部１１又は撮像部１２から出力される画像処理後の映像信号の少なくとも一部と、記憶部１３に予め記憶されている相関判定用の映像信号との間で相関があると判定されてから一定時間ｔ２経過までに、残りの撮像部から出力される画像処理後の映像信号の少なくとも一部と、記憶部１３に予め記憶されている相関判定用の映像信号との間で相関があると判定されないと（Ｓ６３がＹｅｓ、Ｓ６４がＮｏ、Ｓ６６がＹｅｓ）、操作制御部１７は、撮像部１１や撮像部１２から出力される画像処理後の映像信号を記憶部１３に記憶させる（Ｓ６７）。なお、このＳ６７における操作制御部１７の動作は、図５に示すフローチャートの動作と同様とする。
【００４０】
また、操作制御部１７は、撮像部１１又は撮像部１２から出力される画像処理後の映像信号の少なくとも一部と、記憶部１３に予め記憶されている相関判定用の映像信号との間で相関があると判定されている間に、残りの撮像部から出力される画像処理後の映像信号の少なくとも一部と、記憶部１３に予め記憶されている相関判定用の映像信号との間で相関があると判定された場合、撮像部１１や撮像部１２から出力される画像処理後の映像信号を記憶部１３に記憶させるように構成してもよい。
＜第２実施形態＞
【００４１】
図８は、本発明の第２実施形態の撮像装置を示す図である。なお、図１に示す構成と同じ構成には同じ符号を付しその説明を省略する。
【００４２】
図８に示す撮像装置８０において図１に示す撮像装置１０と異なる点は、さらに、表示部８１を備えている点である。なお、表示部８１は、表示方向が正面方向と同じになるように、すなわち、撮像部１１の撮像方向と同じになるように、Ａ面側に配置されているものとする。また、撮像部１１の撮像方向に被写体Ａが位置し、撮像部１２の撮像方向に被写体Ｂが位置しているものとする。また、例えば、図９Ａ〜図９Ｄに示すように、表示部８１が撮像部１１の下方に配置されているものとする。
【００４３】
表示部８１は、撮像部１１又は撮像部１２から出力される画像処理後の映像信号や撮像装置８０の動作を制御するためのＧＵＩ（Graphical User Interface）などを表示する。
【００４４】
例えば、操作制御部１７は、図１０Ａに示すように、撮像部１１から出力される画像処理後の映像信号を表示部８１に表示させる。この場合、被写体Ａは、自身が写る映像信号を確認することができる。
【００４５】
また、例えば、操作制御部１７は、図１０Ｂに示すように、撮像部１２から出力される画像処理後の映像信号を表示部８１に表示させる。この場合、被写体Ａは、被写体Ｂが写る映像信号を確認することができる。
【００４６】
また、例えば、操作制御部１７は、図１０Ｃや図１０Ｄに示すように、撮像部１１及び撮像部１２からそれぞれ出力される画像処理後の各映像信号を互いに合成させて表示部８１に表示させる。この場合、被写体Ａは、自身が写る映像信号と被写体Ｂが写る映像信号とを同時に確認することができる。
【００４７】
なお、表示部８１は、表示方向が背面方向と同じになるように、すなわち、撮像部１２の撮像方向と同じになるように、Ｂ面側に配置されてもよい。
【００４８】
このように構成される場合、例えば、操作制御部１７は、図１１Ａに示すように、撮像部１１から出力される画像処理後の映像信号を表示部８１に表示させる。この場合、被写体Ｂは、被写体Ａが写る映像信号を確認することができる。
【００４９】
また、例えば、操作制御部１７は、図１１Ｂに示すように、撮像部１２から出力される画像処理後の映像信号を表示部８１に表示させる。この場合、被写体Ｂは、自身が写る映像信号を確認することができる。
【００５０】
また、例えば、操作制御部１７は、図１１Ｃや図１１Ｄに示すように、撮像部１１及び撮像部１２からそれぞれ出力される画像処理後の映像信号を互いに合成させて表示部８１に表示させる。この場合、被写体Ｂは、自身が写る映像信号と被写体Ａが写る映像信号とを同時に確認することができる。
【００５１】
また、撮像された映像信号と予め記憶されている映像信号との相関があるか否かの判定結果を表示部８１に表示させてもよい。
【００５２】
図１２は、相関判定結果を表示部８１に表示させる場合の制御部１４の動作の一例を示すフローチャートである。
【００５３】
まず、映像処理部１５は、被写体Ａや被写体Ｂなどの操作により撮像装置８０に備えられる不図示の電源スイッチがＯＮすると（Ｓ１２１がＹｅｓ）、撮像部１１、１２からそれぞれ出力される各映像信号に対して各種画像処理を行う（Ｓ１２２）。
【００５４】
次に、操作制御部１７は、記憶部１３に予め記憶されている相関判定用の映像信号を表示部８１に表示させる（Ｓ１２３）。例えば、操作制御部１７は、図１３Ａに示すように、記憶部１３に予め記憶されている相関判定用の映像信号としてのピースサインの手や星のマークを表示部８１に表示させる。これにより、被写体Ａや被写体Ｂに対して相関判定用の映像信号にどのようなものがあるかを伝えることができる。
【００５５】
次に、映像判定部１６において、撮像部１１又は撮像部１２から出力される画像処理後の映像信号の少なくとも一部と、記憶部１３に予め記憶されている相関判定用の映像信号との間で相関がないと判定された場合（Ｓ１２４がＮｏ）、映像処理部１５は、再度、Ｓ１２２を行う。
【００５６】
一方、映像判定部１６において、撮像部１１又は撮像部１２から出力される画像処理後の映像信号の少なくとも一部と、記憶部１３に予め記憶されている相関判定用の映像信号との間で相関があると判定された場合（Ｓ１２４がＹｅｓ）、操作制御部１７は、その旨を表示部８１に表示させる（Ｓ１２５）。例えば、操作制御部１７は、映像判定部１６において、撮像部１１から出力される画像処理後の映像信号における被写体Ａのピースサインの手と、記憶部１３に予め記憶されている相関判定用の映像信号の間で相関があると判定された場合、図１３Ｂに示すように、撮像部１１から出力される画像処理後の映像信号における被写体Ａのピースサインの手の部分に丸のマークを重畳させて表示部８１に表示させる。なお、画像処理後の映像信号に重畳させるマークは十字や四角など丸に限定されない。これにより、被写体Ａが撮像装置８０から遠く離れていても撮影タイミングを確認することができる。
【００５７】
そして、操作制御部１７は、撮像部１１や撮像部１２から出力される画像処理後の映像信号を記憶部１３に記憶させる（Ｓ１２６）。なお、このＳ１２６における操作制御部１７の動作は、図５に示すフローチャートの動作と同様とする。
【００５８】
これにより、被写体Ａや被写体Ｂなどにより相関判定用の映像信号を後から追加又は変更することができるため、イベントなどに応じて相関判定用の映像信号を自由に変更することができる。そのため、撮影の楽しみが増え、より自然な状態の被写体Ａや被写体Ｂの映像信号を得ることができる。
【００５９】
また、操作制御部１７は、映像判定部１６において、撮像部１１又は撮像部１２から出力される画像処理後の映像信号の少なくとも一部が、記憶部１３に予め記憶されている相関判定用の映像信号と類似していると判定された場合、その旨を表示部８１に表示させるように構成してもよい。例えば、操作制御部１７は、映像判定部１６において、撮像部１１から出力される画像処理後の映像信号の少なくとも一部（例えば、静止画のある範囲の画素毎の輝度）と、記憶部１３に予め記憶されている相関判定用の映像信号（例えば、静止画の画素毎の輝度）との類似度が閾値ｔｈ２（＜閾値ｔｈ１）以上であると判定された場合、図１３Ｃに示すように、撮像部１１から出力される画像処理後の映像信号における被写体Ａのピースサインの手の部分に四角枠を重畳させて表示部８１に表示させる。
【００６０】
このように構成することにより、もう少しで撮影を行うことができることを被写体に伝えることができ、被写体Ａや被写体Ｂに姿勢の変更などを促すことができる。
【００６１】
なお、操作制御部１７は、撮像部１１又は撮像部１２から出力される画像処理後の映像信号と記憶部１３に予め記憶されている相関判定用の映像信号とが互いに類似している旨や相関判定用の映像信号を、撮像部１１又は撮像部１２から出力される画像処理後の映像信号に重畳させて表示部８１に表示させてもよい。
＜第３実施形態＞
【００６２】
図１４は、本発明の第３実施形態の撮像装置を示す図である。なお、図８に示す構成と同じ構成には同じ符号を付しその説明を省略する。
【００６３】
図１４に示す撮像装置１４０において図８に示す撮像装置８０と異なる点は、さらに、表示部１４１を備えている点である。なお、表示部１４１は、表示方向が背面方向と同じになるように、すなわち、撮像部１２の撮像方向と同じになるように、Ｂ面側に配置されているものとする。また、撮像部１１の撮像方向に被写体Ａが位置し、撮像部１２の撮像方向に被写体Ｂが位置しているものとする。また、例えば、図１５Ａ〜図１５Ｄに示すように、表示部８１が撮像部１１の下方に配置され、表示部１４１が撮像部１２の下方に配置されているものとする。
【００６４】
表示部１４１は、撮像部１１又は撮像部１２から出力される画像処理後の映像信号や撮像装置１４０の動作を制御するためのＧＵＩなどを表示する。
【００６５】
また、図１４に示す表示部８１も、撮像部１１又は撮像部１２から出力される画像処理後の映像信号や撮像装置１４０の動作を制御するためのＧＵＩなどを表示する。
【００６６】
例えば、操作制御部１７は、図１６Ａに示すように、撮像部１１から出力される画像処理後の映像信号を表示部８１に表示させ、撮像部１２から出力される画像処理後の映像信号を表示部１４１に表示させる。この場合、被写体Ａは自身が写る映像信号を確認することができ、被写体Ｂも自身が写る映像信号を確認することができる。
【００６７】
また、例えば、操作制御部１７は、図１６Ｂに示すように、撮像部１２から出力される画像処理後の映像信号を表示部８１に表示させ、撮像部１１から出力される画像処理後の映像信号を表示部１４１に表示させる。この場合、被写体Ａは被写体Ｂが写る映像信号を確認することができ、被写体Ｂは被写体Ａが写る映像信号を確認することができる。
【００６８】
また、例えば、操作制御部１７は、図１６Ｃに示すように、撮像部１１から出力される画像処理後の映像信号を表示部８１及び表示部１４１にそれぞれ表示させる。この場合、被写体Ａは自身が写る映像信号を確認することができ、被写体Ｂは被写体Ａが写る映像信号を確認することができる。
【００６９】
また、例えば、操作制御部１７は、図１６Ｄに示すように、撮像部１２から出力される画像処理後の映像信号を表示部８１及び表示部１４１にそれぞれ表示させる。この場合、被写体Ａは被写体Ｂが写る映像信号を確認することができ、被写体Ｂは自身が写る映像信号を確認することができる。
【００７０】
また、例えば、操作制御部１７は、図１７Ａ〜図１７Ｄに示すように、撮像部１１及び撮像部１２からそれぞれ出力される画像処理後の映像信号を互いに合成させて表示部８１及び表示部１４１にそれぞれ表示させる。この場合、被写体Ａは自身が写る映像信号や被写体Ｂが写る映像信号を同時に確認することができ、被写体Ｂは自身が写る映像信号や被写体Ａが写る映像信号を同時に確認することができる。
＜第４実施形態＞
【００７１】
図１８は、本発明の第４実施形態の撮像装置を示す図である。なお、図８に示す構成と同じ構成には同じ符号を付しその説明を省略する。
【００７２】
図１８に示す撮像装置１８０において図８に示す撮像装置８０と異なる点は、さらに、Ａ面側に配置される操作部１８１を備えている点である。なお、操作部１８１は、例えば、表示部８１とともに、タッチパネルディスプレイを構成する。また、操作部１８１は、例えば、十字キーや決定キーなどにより構成されてもよい。
【００７３】
図１８に示す操作制御部１７は、被写体Ａや被写体Ｂなどの操作部１８１の操作により、相関判定用の映像信号を記憶部１３に記憶させる。
【００７４】
図１９は、相関判定用の映像信号を記憶部１３に記憶させる際の操作制御部１７の動作の一例を示すフローチャートである。
【００７５】
まず、操作制御部１７は、被写体Ａや被写体Ｂなどの操作により撮像装置１８０に備えられる不図示の電源スイッチがＯＮすると（Ｓ１９１がＹｅｓ）、図２０Ａに示すように、撮影モード選択ボタン２０１、再生モード選択ボタン２０２、及び登録モード選択ボタン２０３を示す設定画面を表示部８１及び操作部１８１から構成されるタッチパネルディスプレイに表示させる（Ｓ１９２）。
【００７６】
次に、操作制御部１７は、被写体Ａや被写体Ｂなどにより図２０Ａに示す設定画面の登録モード選択ボタン２０３がタッチされると（Ｓ１９３がＹｅｓ）、図２０Ｂに示すように、撮像部１１又は撮像部１２から出力される画像処理後の映像信号に、四角枠２０４及びシャッターボタン２０５を重畳させてタッチパネルディスプレイに表示させる（Ｓ１９４）。このとき、被写体Ａ又は被写体Ｂは、自身のピースサインの手が四角枠２０４内に納まるように、自身のピースサインの手を撮像部１１又は撮像部１２により撮像させる。
【００７７】
そして、操作制御部１７は、シャッターボタン２０５がタッチされたと判断すると（Ｓ１９５がＹｅｓ）、四角枠１８４内の映像信号を相関判定用の映像信号として記憶部１３に記憶させ（Ｓ１９６）、図２０Ｃに示すように、相関判定用の映像信号の登録が完了した旨のメッセージをタッチパネルディスプレイに表示させる（Ｓ１９７）。
【００７８】
なお、相関判定用の映像信号を記憶部１３に記憶させる際、操作制御部１７は、その相関判定用の映像信号と、画像処理時の映像信号に対して施される映像エフェクトを示す情報とを対応付けて記憶部１３に記憶させるように構成してもよい。
【００７９】
例えば、操作制御部１７は、被写体Ａや被写体Ｂなどにより図２０Ａに示す登録モード選択ボタン２０３がタッチされると、図２１Ａに示すように、撮像部１１又は撮像部１２から出力される画像処理後の映像信号に、四角枠２０４、シャッターボタン２０５、及び設定ボタン２０６を重畳させてタッチパネルディスプレイに表示させる。
【００８０】
次に、操作制御部１７は、被写体Ａ又は被写体Ｂにより設定ボタン２０６がタッチされると、例えば、図２１Ｂに示すような映像エフェクト設定画面をタッチパネルディスプレイに表示させる。
【００８１】
そして、操作制御部１７は、被写体Ａや被写体Ｂなどにより何れかの映像エフェクト（例えば、「６：ジオラマ」）がタッチされた後、シャッターボタン２０５がタッチされたと判断すると、四角枠１８４内の相関判定用の映像信号と、タッチされた映像エフェクトを示す情報とを対応付けて記憶部１３に記憶させるとともに、図２１Ｃに示すように、設定が完了した映像エフェクト及び相関判定用の映像信号の登録が完了した旨のメッセージをタッチパネルディスプレイに表示させる。
【００８２】
このように構成される場合、操作制御部１７は、映像判定部１６において、撮像部１１又は撮像部１２から出力される画像処理後の映像信号の少なくとも一部と、記憶部１３に予め記憶されている相関判定用の映像信号との間で相関があると判定されると、そのときに使用された相関判定用の映像信号に対応する映像エフェクトを示す情報を記憶部１３から取り出し、その取り出した情報を映像処理部１５に送る。映像処理部１５は、操作制御部１７から送られてくる情報に示される映像エフェクトを、撮像部１１や撮像部１２から出力される映像信号に対して施す。そして、操作制御部１７は、映像処理部１５により映像エフェクトが施された映像信号を記憶部１３に記憶させるとともに、表示部８１や表示部１４１に表示させる。
【００８３】
このように構成することにより、撮影時において被写体Ａや被写体Ｂなどにより行われる映像エフェクト選択作業を省くことができるため、撮影タイミングを逃すことを抑えることができる。そのため、自然な状態の被写体の映像信号を得ることができる。
＜第５実施形態＞
【００８４】
図２２は、本発明の第５実施形態の撮像装置を示す図である。なお、図１４に示す構成や図１８に示す構成と同じ構成には同じ符号を付しその説明を省略する。
【００８５】
図２２に示す撮像装置２２０において図１４に示す撮像装置１４０や図１８に示す撮像装置１８０と異なる点は、さらに、Ｂ面に配置される操作部２２１を備えている点である。なお、操作部２２１は、例えば、表示部１４１とともに、タッチパネルディスプレイを構成する。また、操作部２２１は、例えば、十字キーや決定キーなどにより構成されてもよい。
【００８６】
このように構成される撮像装置２２０は、操作部１８１の他に操作部２２１も備えているため、Ａ面とＢ面の両面において被写体Ａや被写体Ｂなどの操作により相関判定用の映像信号を登録することができる。
【符号の説明】
【００８７】
１０  撮像装置
１１  撮像部
１２  撮像部
１３  記憶部
１４  制御部
１５  映像処理部
１６  映像判定部
１７  操作制御部
８０  撮像装置
８１  表示部
１４０  撮像装置
１４１  表示部
１８０  撮像装置
１８１  操作部
２２０  撮像装置
２２１  操作部
【図１】
2013121062.tif 000003
【図２Ａ】
2013121062.tif 000004
【図２Ｂ】
2013121062.tif 000005
【図３】
2013121062.tif 000006
【図４】
2013121062.tif 000007
【図５】
2013121062.tif 000008
【図６】
2013121062.tif 000009
【図７】
2013121062.tif 000010
【図８】
2013121062.tif 000011
【図９Ａ】
2013121062.tif 000012
【図９Ｂ】
2013121062.tif 000013
【図９Ｃ】
2013121062.tif 000014
【図９Ｄ】
2013121062.tif 000015
【図１０Ａ】
2013121062.tif 000016
【図１０Ｂ】
2013121062.tif 000017
【図１０Ｃ】
2013121062.tif 000018
【図１０Ｄ】
2013121062.tif 000019
【図１１Ａ】
2013121062.tif 000020
【図１１Ｂ】
2013121062.tif 000021
【図１１Ｃ】
2013121062.tif 000022
【図１１Ｄ】
2013121062.tif 000023
【図１２】
2013121062.tif 000024
【図１３Ａ】
2013121062.tif 000025
【図１３Ｂ】
2013121062.tif 000026
【図１３Ｃ】
2013121062.tif 000027
【図１４】
2013121062.tif 000028
【図１５Ａ】
2013121062.tif 000029
【図１５Ｂ】
2013121062.tif 000030
【図１５Ｃ】
2013121062.tif 000031
【図１５Ｄ】
2013121062.tif 000032
【図１６Ａ】
2013121062.tif 000033
【図１６Ｂ】
2013121062.tif 000034
【図１６Ｃ】
2013121062.tif 000035
【図１６Ｄ】
2013121062.tif 000036
【図１７Ａ】
2013121062.tif 000037
【図１７Ｂ】
2013121062.tif 000038
【図１７Ｃ】
2013121062.tif 000039
【図１７Ｄ】
2013121062.tif 000040
【図１８】
2013121062.tif 000041
【図１９】
2013121062.tif 000042
【図２０Ａ】
2013121062.tif 000043
【図２０Ｂ】
2013121062.tif 000044
【図２０Ｃ】
2013121062.tif 000045
【図２１Ａ】
2013121062.tif 000046
【図２１Ｂ】
2013121062.tif 000047
【図２１Ｃ】
2013121062.tif 000048
【図２２】
2013121062.tif 000049